(57)【要約】【課題】静脈認証モジュール等の生体情報を読み取るセンサモジュールが取り付けられた小型で軽量な情報処理装置を提供する。【解決手段】手を走査して手の情報を読み取るセンサモジュールを有する情報処理装置において、前記センサモジュールが入る凹部が設けられたモジュールホルダを有し、前記モジュールホルダの前記凹部に前記センサモジュールが入れられ、前記センサモジュールに接続されたフラットケーブルは、折り曲げ部において折り曲げられており、前記モジュールホルダの裏面には、前記折り曲げられたフラットケーブルを支持するケーブルガイドが設けられていることを特徴とする情報処理装置により上記課題を解決する。【選択図】図１０
2018109829.tif 000002
【特許請求の範囲】
【請求項１】
手を走査して手の情報を読み取るセンサモジュールを有する情報処理装置において、
前記センサモジュールが入る凹部が設けられたモジュールホルダを有し、
前記モジュールホルダの前記凹部に前記センサモジュールが入れられ、前記センサモジュールに接続されたフラットケーブルは、折り曲げ部において折り曲げられており、
前記モジュールホルダの裏面には、前記折り曲げられたフラットケーブルを支持するケーブルガイドが設けられていることを特徴とする情報処理装置。
【請求項２】
前記ケーブルガイドは、前記モジュールホルダの裏面より外側に出っ張ったガイド支持部と、
前記ガイド支持部より、前記モジュールホルダの裏面と略平行に設けられたガイド部と、
を有し、
前記フラットケーブルは、前記モジュールホルダの裏面と前記ガイド部との間に入れられて支持されていることを特徴とする請求項１に記載の情報処理装置。
【請求項３】
前記センサモジュールは、前記モジュールホルダの凹部に入れられた状態で、前記情報処理装置の内部に設置されており、
前記モジュールホルダの裏面より外側に出っ張ったガイド支持部の先端の突起部は、前記情報処理装置の筐体の底板カバーの内側の面と接していることを特徴とする請求項１または２に記載の情報処理装置。
【請求項４】
前記フラットケーブルは、フレキシブルフラットケーブルであることを特徴とする請求項１から３のいずれかに記載の情報処理装置。
【発明の詳細な説明】
【技術分野】
【０００１】
本発明は、情報処理装置に関するものである。
【背景技術】
【０００２】
近年、一般住宅の防犯対策、個人情報の保護、車の盗難防止、テロ対策等の様々な分野においてセキュリティ技術が用いられている。このようなセキュリティ技術の一つとして、指紋、虹彩、静脈等の人の生体的な特徴を利用して高い精度で、個人を識別することのできるバイオメトリクス認証（生体認証）が、本人確認の手段として広く利用されている。具体的には、パーソナルコンピュータ等の情報処理装置にも、本人確認をするための生体情報を読み取るセンサモジュール、例えば、静脈認証モジュールが取り付けられている場合がある。
【先行技術文献】
【特許文献】
【０００３】
【特許文献１】国際公開第２０１３／０７６８５８号パンフレット
【特許文献２】特開２０１１−１４２３９６号公報
【発明の概要】
【発明が解決しようとする課題】
【０００４】
ところで、情報処理装置がノートパソコン等のモバイル性の高いものにおいては、小型化や軽量化が求められているが、静脈認証モジュール等の生体情報を読み取るセンサモジュールには、情報処理装置の所望の方向や位置に設置することが求められる。従って、静脈認証モジュール等の生体情報を読み取るセンサモジュールの取り付け位置の制約により、ノートパソコン等の情報処理装置の小型化及び軽量化が妨げられる場合がある。
【０００５】
このため、狭いスペースに静脈認証モジュール等の生体情報を読み取るセンサモジュールが取り付けられた小型で軽量な情報処理装置が求められている。
【課題を解決するための手段】
【０００６】
本実施の形態の一観点によれば、手を走査して手の情報を読み取るセンサモジュールを有する情報処理装置において、前記センサモジュールが入る凹部が設けられたモジュールホルダを有し、前記モジュールホルダの前記凹部に前記センサモジュールが入れられ、前記センサモジュールに接続されたフラットケーブルは、折り曲げ部において折り曲げられており、前記モジュールホルダの裏面には、前記折り曲げられたフラットケーブルを支持するケーブルガイドが設けられていることを特徴とする。
【発明の効果】
【０００７】
開示の情報処理装置によれば、狭いスペースに静脈認証モジュール等の生体情報を読み取るセンサモジュールを取り付けることができるため、生体情報を読み取るセンサモジュールが取り付けられた小型で軽量な情報処理装置を提供することができる。
【図面の簡単な説明】
【０００８】
【図１】ノートパソコンの斜視図
【図２】静脈認証モジュールの斜視図
【図３】静脈認証モジュール及びモジュールホルダの斜視図（１）
【図４】静脈認証モジュール及びモジュールホルダの斜視図（２）
【図５】静脈認証モジュール及びモジュールホルダの説明図（１）
【図６】静脈認証モジュール及びモジュールホルダの説明図（２）
【図７】本実施の形態における情報処理装置の斜視図
【図８】本実施の形態における情報処理装置の分解斜視図
【図９】本実施の形態における情報処理装置の内部を裏側から見た斜視図
【図１０】本実施の形態におけるモジュールホルダに静脈認証モジュールが入れられた状態の斜視図
【図１１】本実施の形態におけるモジュールホルダの表側から見た斜視図
【図１２】本実施の形態におけるモジュールホルダの裏側から見た斜視図
【図１３】本実施の形態におけるモジュールホルダに静脈認証モジュールが入れられた状態の斜視図
【図１４】本実施の形態におけるモジュールホルダの説明図
【図１５】本実施の形態における情報処理装置の要部を拡大した斜視図
【図１６】本実施の形態における情報処理装置の断面図（１）
【図１７】本実施の形態における情報処理装置の断面図（２）
【図１８】本実施の形態における情報処理装置の断面の斜視図
【発明を実施するための形態】
【０００９】
実施するための形態について、以下に説明する。尚、同じ部材等については、同一の符号を付して説明を省略する。
【００１０】
最初に、生体情報を読み取るセンサモジュールである静脈認証モジュールが取り付けられた情報処理装置であるノートタイプのパーソナルコンピュータ（以下、「ノートパソコン」と略して記載する場合がある。）について説明する。図１に示されるように、ノートパソコン９１０は、本体部９２０と表示部９３０とにより形成されている。本体部９２０の表側は、表側カバー９２５により覆われており、表側カバー９２５には開口が設けられてキーボード９２１及び静脈認証モジュール４０等が取り付けられている。キーボード９２１は、表示部９３０が接続されている側に取り付けられており、静脈認証モジュール４０は、表示部９３０が接続されている側とは反対側の本体部９２０の手前側の右端部分近傍に取り付けられている。
【００１１】
静脈認証モジュール４０は、手を走査して手の情報を読み取るものである。具体的には、図２に示されるように、平面形状が略正方形であり、読み取り面４１の側に、ユーザが手のひらをかざすことにより、手のひらの静脈を読み取り、生体情報の入力を行うことのできる入力装置である。静脈認証モジュール４０の読み取り面４１には、ユーザの手のひらの静脈の生体画像を取得することのできる静脈センサを有している。
【００１２】
静脈認証モジュール４０における静脈センサにより読み取られる手のひらの静脈は、他の部位の静脈に比べて情報量が多いため識別に有利であり、血管も太いため寒暖にも左右されにくく、正確な認証を安定して行うことができる。尚、手のひらの静脈の情報は、体内の情報であるため偽造が困難であり、また、手荒れや手の乾燥・湿潤等の影響を受けにくく、生体情報としては利点を有している。また、生体情報を非接触で取得することができるため、衛生的で、自然な操作で行うことができ、ユーザの抵抗感が少なく、高速で認証を行うことが可能である。
【００１３】
このように、静脈認証モジュール４０は、読み取り面４１に、ユーザが手のひらをかざすことにより、手のひらの静脈を読み取り、生体情報の入力を行うことのできる入力装置である。このため、静脈認証モジュール４０には、生体検出部、手のひらの静脈の画像を取得する撮像部、静脈の撮像の際に近赤外光を照射する光源部等を有している。
【００１４】
生体検出部は、手のひらの指の付け根を検出するとともに、手のひらの読み取り面４１の上面からの高さを検出する。尚、「手のひらの指の付け根」とは、隣り合う指と指との谷間を含む領域を指す。生体検出部は、例えば、手のひらの指の付け根を検出する機構として、画像センサを有する。この画像センサによる検出結果は、読み取り面４１に対する手の方向の判定に利用され、画像センサは撮像部と兼用であってもよい。また、生体検出部は、例えば、手のひらの高さを検出する機構として、距離センサを有している。
【００１５】
撮像部は、生体静脈を撮影する静脈センサであり、光源部は、近赤外光を照射する光源である。生体検出部によって手のひらが検出されると、手のひらに対して光源部より近赤外光が照射され、撮像部により手のひら部分が撮像される。これにより、手のひらの皮下組織にある静脈中の還元ヘモグロビンが近赤外光を吸収するため黒く映し出され、網目状の生体画像が取得される。
【００１６】
手のひらの静脈を読み取り面４１より読み取る際には、ユーザは読み取り面４１に対して静脈を読み取らせる方の手のひらを向けることで、ユーザの手のひらの静脈が読み取られる。このような静脈認証モジュール４０では、読み取り機能を保証するため、読み取り方向（設置される方向）が特定の方向となるように、ノートパソコン９１０に設置されている。また、静脈認証モジュール４０には、ノートパソコン９１０の内部のメインボード等と接続するためのフラットケーブル４２が設けられているが、このフラットケーブル４２が設けられる位置も、所定の方向となっている。
【００１７】
具体的には、静脈認証モジュール４０は、図３及び図４に示すようなモジュールホルダ９５０に入れられた状態で、図５及び図６に示すように、ノートパソコン９１０の裏側より、読み取り面４１が表側となるように取り付けられている。尚、図３は、静脈認証モジュール４０がモジュールホルダ９５０に取り付けられる前の状態の斜視図であり、図４は、静脈認証モジュール４０がモジュールホルダ９５０に取り付けられた状態の斜視図である。また、図５は、静脈認証モジュール４０がモジュールホルダ９５０に取り付けられたものがノートパソコン９１０に取り付けられる前の斜視図である。図６は、静脈認証モジュール４０がモジュールホルダ９５０に取り付けられたものがノートパソコン９１０に取り付けられた状態の斜視図である。
【００１８】
図３及び図４に示されるように、モジュールホルダ９５０には、静脈認証モジュール４０が入れられる凹部９５１が設けられており、静脈認証モジュール４０の読み取り面４１が露出するように入れられている。静脈認証モジュール４０はモジュールホルダ９５０に入れられた状態で、ノートパソコン９１０の本体部９２０の裏側の底板カバーを開けて取り付けられている。ノートパソコン９１０の本体部９２０の表側カバー９２５には、静脈認証モジュール４０の読み取り面４１が露出するように、図５に示される開口部９２６が設けられている。また、モジュールホルダ９５０の凹部９５１の周囲には、本体部９２０にねじ留めするためのねじ穴９５２ａ、９５２ｂと、位置決め穴９５３ａ、９５３ｂが設けられている。ねじ穴９５２ａとねじ穴９５２ｂとは、凹部９５１の周囲の対角する位置に設けられており、位置決め穴９５３ａと位置決め穴９５３ｂとは、凹部９５１の周囲の他の対角する位置に設けられている。静脈認証モジュール４０は、モジュールホルダ９５０に入れられた状態で、モジュールホルダ９５０の位置決め穴９５３ａ、９５３ｂで位置決めがなされて、ねじ穴９５２ａ、９５２ｂにねじ９５５により固定されている。
【００１９】
ところで、前述したように、静脈認証モジュール４０は、読み取り機能を保証するため、読み取り方向（設置される方向）が特定の方向となるように、ノートパソコン９１０に設置されている。このため、静脈認証モジュール４０に設けられているフラットケーブル４２の位置も所定の方向となる。
【００２０】
従って、静脈認証モジュール４０のフラットケーブル４２が設けられている側に、フラットケーブル４２に接続されるにメインボードが存在していれば問題はない。しかしながら、ノートパソコンの小型化や軽量化の観点からのレイアウト上、必ずしもフラットケーブル４２が設けられている側には、メインボードが存在していない場合がある。尚、図２〜図６においては、便宜上、フラットケーブル４２の一部が省略されている。
【００２１】
（情報処理装置）
次に、本実施の形態における情報処理装置について説明する。本実施の形態における情報処理装置は、生体情報を読み取るセンサモジュールである静脈認証モジュールが取り付けられた情報処理装置であるノートパソコンである。本実施の形態における情報処理装置であるノートパソコン１１０は、図７に示されるように、本体部１２０と表示部１３０とにより形成されている。本体部１２０の表側は、表側カバー１２５により覆われており、表側カバー１２５には開口が設けられてキーボード１２１及び静脈認証モジュール４０等が取り付けられている。キーボード１２１は、表示部１３０が接続されている側に取り付けられており、静脈認証モジュール４０は、表示部１３０が接続されている側とは反対側の本体部１２０の手前側の右端部分近傍に取り付けられている。
【００２２】
静脈認証モジュール４０は、前述の図２に示されるように、平面形状が略正方形であり、読み取り面４１の側に、ユーザが手のひらをかざすことにより、手のひらの静脈を読み取り、生体情報の入力を行うことのできる入力装置である。従って、静脈認証モジュール４０の読み取り面４１には、ユーザの手のひらの静脈の生体画像を取得することのできる静脈センサが設けられている。
【００２３】
静脈認証モジュール４０に接続されるフレキシブル基板には、ＦＰＣ（Flexible  Printed  Circuit：フレキシブルプリント回路基板）とＦＦＣ（Flexible  Flat  Cable：フレキシブルフラットケーブル）とが存在している。ＦＰＣは、樹脂フィルムに貼り合わせられた銅箔の配線パターンを形成し、端子部分以外を絶縁フィルムにより覆い作製した配線板であり、曲がった配線形状等を比較的自由に作製することができる。ＦＦＣは、平らで細い電線を束ね、表面をＰＥＴ（Polyethylene  terephthalate）等により形成された絶縁フィルムによりサンドイッチした配線材であり、ＦＰＣよりも低コストで作製することができる。本実施の形態においては、コスト等の観点より静脈認証モジュール４０に接続されるフレキシブル基板には、ＦＦＣが用いられているが、ＦＰＣを用いてもよい。
【００２４】
このノートパソコン１１０は、図８に示されるように、本体部１２０における底板カバー１２２を取り外すことができる。図９は、本体部１２０の底板カバー１２２を取り外した状態の裏側の斜視図である。このノートパソコン１１０では、小型化及び軽量化のため、静脈認証モジュール４０が取り付けられる手前側に電池１２３が設置されており、表示部１３０に近い側にメインボード１２４が設置されている。静脈認証モジュール４０は、前述したように、読み取り方向が特定の方向となるように取り付けられている。このため、静脈認証モジュール４０のフラットケーブル４２が接続されている側には、電池１２３が設けられている。従って、フラットケーブル４２の延びる方向には、電池１２３が存在しており、フラットケーブル４２の接続先となるメインボード１２４は、フラットケーブル４２の延びる方向とは異なる方向に存在している。尚、本実施の形態では、電池１２３は、小型化及び軽量化のため、取り外しをすることができないものであり、表示部１３０を開いた際に、本体部１２０の姿勢が安定するように、表示部１３０と接続されている側とは反対側の本体部１２０の手前側に設置されている。また、静脈認証モジュール４０も静脈認証モジュール４０に手をかざすこと等の便宜上、本体部１２０の手前側に設置されている。
【００２５】
本実施の形態においては、図１０にも示されるように、静脈認証モジュール４０に接続されているフラットケーブル４２は、第１の折り曲げ部４２ａ及び第２の折り曲げ部４２ｂにおいて折り曲げられている。具体的には、フラットケーブル４２を第１の折り曲げ部４２ａにおいて全体を約１８０°折り曲げて向きを反転させた後、第２の折り曲げ部４２ｂにおいて、長手方向に対し約４５°の角度で全体を約１８０°折り曲げている。これにより、フラットケーブル４２の延びる方向を約９０°変えている。従って、第２の折り曲げ部４２ｂにおいて折り曲げられたフラットケーブル４２の延びる方向には、フラットケーブル４２に接続されるメインボード１２４が存在しており、フラットケーブル４２をメインボード１２４に接続することができる。
【００２６】
フラットケーブル４２は、第１の折り曲げ部４２ａ及び第２の折り曲げ部４２ｂにおいて折り曲げられているが、この部分は、フラットケーブル４２が断線しない程度に適度な湾曲を有して折り曲げられている。尚、この場合の適度な湾曲としては、例えば、湾曲半径０．５ｍｍ程度以上である。
【００２７】
本実施の形態においては、静脈認証モジュール４０は、モジュールホルダ１５０に入れられた状態で、ノートパソコン１１０に取り付けられている。モジュールホルダ１５０は、図１１及び図１２に示すように、表側には静脈認証モジュール４０が入れられる凹部１５１が設けられている。また、モジュールホルダ１５０の裏面１５０ｂには、第２の折り曲げ部４２ｂにおいて折り曲げられたフラットケーブル４２を支持するためのケーブルガイド１６０が設けられている。ケーブルガイド１６０は、ガイド支持部１６１と、ガイド支持部１６１の端の近傍に設けられたガイド部１６２と、ガイド支持部１６１の外側の端に設けられた突起部１６３と、を有している。
【００２８】
ケーブルガイド１６０のガイド支持部１６１は、モジュールホルダ１５０の裏面１５０ｂから略垂直に外側に出っ張っており、ガイド部１６２は、このガイド支持部１６１の端の近傍より、モジュールホルダ１５０の裏面１５０ｂと略平行に形成されている。突起部１６３は、ケーブルガイド１６０のガイド支持部１６１の最も外側に出っ張っている部分である。
【００２９】
本実施の形態においては、図１３に示されるように、静脈認証モジュール４０は、モジュールホルダ１５０の凹部１５１に入れられており、スナップフィット状の２つのモジュール支持部１５６により支持されている。尚、静脈認証モジュール４０は、モジュールホルダ１５０の凹部１５１に、静脈認証モジュール４０の読み取り面４１が露出するように入れられている。２つのモジュール支持部１５６は、モジュールホルダ１５０の四角い凹部１５１の対向する辺に設けられている。また、図１４に示すように、第１の折り曲げ部４２ａ及び第２の折り曲げ部４２ｂにおいて折り曲げられたフラットケーブル４２は、モジュールホルダ１５０の裏面１５０ｂとケーブルガイド１６０のガイド部１６２の内側の面との間に入れられる。これにより、フラットケーブル４２は、モジュールホルダ１５０の裏面１５０ｂのケーブルガイド１６０により支持されている。
【００３０】
本実施の形態において、このように、フラットケーブル４２をケーブルガイド１６０により支持しているのは、第１の折り曲げ部４２ａ及び第２の折り曲げ部４２ｂにおいて折り曲げられている部分が、復元力により元の状態に戻ることを防ぐためである。具体的には、フラットケーブル４２は、弾性を有しており、所定の湾曲半径で折り曲げられることにより、元も状態に戻ろうとする復元力が働き、そのままでは、元の状態に戻ってしまう。このように、フラットケーブル４２が元の状態に戻ってしまうと、モジュールホルダ１５０に入れられた静脈認証モジュール４０をノートパソコン１１０の本体部１２０の裏側より取り付ける際に、作業に手間取り、時間を要する。
【００３１】
また、ノートパソコン１１０の本体部１２０に取り付けた後であっても、第１の折り曲げ部４２ａ及び第２の折り曲げ部４２ｂにおいて折り曲げられているフラットケーブル４２が支持されていないと、第２の折り曲げ部４２ｂ等が自由に動いてしまう。このため、ノートパソコン１１０等を持ち歩いてる際に、フラットケーブル４２における第２の折り曲げ部４２ｂが動き、底板カバー１２２と接触して擦れ、第２の折り曲げ部４２ｂ等において断線が生じる場合や、適度な湾曲を下回る半径で曲げられる場合がある。
【００３２】
従って、本実施の形態においては、静脈認証モジュール４０とフラットケーブル４２との接続部分と、モジュールホルダ１５０のケーブルガイド１６０との間において、フラットケーブル４２の第１の折り曲げ部４２ａ及び第２の折り曲げ部４２ｂで曲げられている。また、第１の折り曲げ部４２ａ及び第２の折り曲げ部４２ｂにおいて折り曲げられたフラットケーブル４２はモジュールホルダ１５０に設けられたケーブルガイド１６０のガイド部１６２により支持されている。これにより、モジュールホルダ１５０に入れられた静脈認証モジュール４０を取り付ける際に、作業に手間取ることなく、また、第２の折り曲げ部４２ｂ等において断線等が生じることを防ぐことができる。尚、静脈認証モジュール４０は、モジュールホルダ１５０に入れられた状態で、ノートパソコン１１０の本体部１２０の裏の底板カバー１２２を開けて取り付けられている。
【００３３】
また、図１１から図１３に示されるように、モジュールホルダ１５０の凹部１５１の周囲には、ノートパソコン１１０の本体部１２０にねじ留めするためのねじ穴１５２ａ、１５２ｂと、位置決め穴１５３ａ、１５３ｂが設けられている。ねじ穴１５２ａとねじ穴１５２ｂとは、凹部１５１を挟んで対角する位置に設けられており、位置決め穴１５３ａと位置決め穴１５３ｂとは、凹部１５１を挟んだ他の対角する位置に設けられている。また、図１４に示すように、ノートパソコン１１０の本体部１２０の表側カバー１２５には、静脈認証モジュール４０の読み取り面４１が露出するように、開口部１２６が設けられている。静脈認証モジュール４０は、モジュールホルダ１５０に入れられた状態で、モジュールホルダ１５０の位置決め穴１５３ａ、１５３ｂで位置決めがなされて、ねじ穴１５２ａ、１５２ｂにおいて２本のねじ１５５により固定されている。尚、底板カバー１２２及び表側カバー１２５は、情報処理装置であるノートパソコン１１０の筐体の一部である。
【００３４】
次に、モジュールホルダ１５０と底板カバー１２２との関係について説明する。尚、図１５は、本実施の形態におけるノートパソコン１１０の本体部１２０側の静脈認証モジュール４０が取り付けられている部分の拡大図である。図１６は、図１５における一点鎖線１５Ａ−１５Ｂにおいて切断した断面図であり、図１７は、図１５における一点鎖線１５Ｃ−１５Ｄにおいて切断した断面図であり、図１８は、図１５における一点鎖線１５Ｅ−１５Ｆにおいて切断した断面の斜視図である。
【００３５】
本実施の形態においては、静脈認証モジュール４０は、ノートパソコン１１０の本体部１２０の右端の近傍に設置されている。モジュールホルダ１５０の裏面１５０ｂでは、ケーブルガイド１６０の突起部１６３と底板カバー１２２の内側の面１２２ａとが接触しており、モジュールホルダ１５０の裏面１５０ｂの端部１５０ｃは、底板カバー１２２の内側の面１２２ａと接触している。このため、静脈認証モジュール４０の読み取り面４１が、破線矢印Ａに示す方向より押されても、静脈認証モジュール４０が、ノートパソコン１１０の本体部１２０の内側に押されて沈むことが抑制されている。即ち、静脈認証モジュール４０の読み取り面４１が破線矢印Ａに示す方向より押されて歪みが生じると読み取り精度が低下する。しかしながら、本実施の形態では、ケーブルガイド１６０の突起部１６３が底板カバー１２２の内側の面１２２ａとが接触し支持され、モジュールホルダ１５０の裏面１５０ｂの端部１５０ｃは、底板カバー１２２の内側の面１２２ａと接触し支持される。このため、読み取り精度が低下することを防ぐことができる。
【００３６】
上記においては、本実施の形態の情報処理装置として、ノートタイプのパーソナルコンピュータについて説明したが、本実施の形態における情報処理装置は、ノートタイプのパーソナルコンピュータ以外の情報処理装置であってもよい。例えば、本実施の形態における情報処理装置は、携帯電話やＰＤＡ（Personal  Digital  Assistant）をはじめとする移動通信用端末装置、デスクトップタイプ（desktop  type）のパーソナルコンピュータであってもよい。また、銀行等の預金の受け入れおよび払い出しを行う現金自動預け払い機（ＡＴＭ：Automated  Teller  Machine）、情報処理システムの端末装置等のように、ユーザ認証を行う情報処理装置であってもよい。
【００３７】
以上、実施の形態について詳述したが、特定の実施形態に限定されるものではなく、特許請求の範囲に記載された範囲内において、種々の変形及び変更が可能である。
【００３８】
上記の説明に関し、更に以下の付記を開示する。
（付記１）
手を走査して手の情報を読み取るセンサモジュールを有する情報処理装置において、
前記センサモジュールが入る凹部が設けられたモジュールホルダを有し、
前記モジュールホルダの前記凹部に前記センサモジュールが入れられ、前記センサモジュールに接続されたフラットケーブルは、折り曲げ部において折り曲げられており、
前記モジュールホルダの裏面には、前記折り曲げられたフラットケーブルを支持するケーブルガイドが設けられていることを特徴とする情報処理装置。
（付記２）
前記ケーブルガイドは、前記モジュールホルダの裏面より外側に出っ張ったガイド支持部と、
前記ガイド支持部より、前記モジュールホルダの裏面と略平行に設けられたガイド部と、
を有し、
前記フラットケーブルは、前記モジュールホルダの裏面と前記ガイド部との間に入れられて支持されていることを特徴とする付記１に記載の情報処理装置。
（付記３）
前記センサモジュールは、前記モジュールホルダの凹部に入れられた状態で、前記情報処理装置の内部に設置されており、
前記モジュールホルダの裏面より外側に出っ張ったガイド支持部の先端の突起部は、前記情報処理装置の筐体の底板カバーの内側の面と接していることを特徴とする付記１または２に記載の情報処理装置。
（付記４）
前記フラットケーブルは、フレキシブルフラットケーブルであることを特徴とする付記１から３のいずれかに記載の情報処理装置。
【符号の説明】
【００３９】
４０        静脈認証モジュール
４１        読み取り面
４２        フラットケーブル
４２ａ      第１の折り曲げ部
４２ｂ      第２の折り曲げ部
１１０      ノートパソコン
１２０      本体部
１２１      キーボード
１２２      底板カバー
１２３      電池
１２４      メインボード
１２５      表側カバー
１２６      開口部
１３０      表示部
１５０      モジュールホルダ
１５０ｂ    裏面
１５１      凹部
１５２ａ、１５２ｂ      ねじ穴
１５３ａ、１５３ｂ      位置決め穴
１５５      ねじ
１５６      モジュール支持部
１６０      ケーブルガイド
１６１      ガイド支持部
１６２      ガイド部
１６３      突起部
【図１】
2018109829.tif 000003
【図２】
2018109829.tif 000004
【図３】
2018109829.tif 000005
【図４】
2018109829.tif 000006
【図５】
2018109829.tif 000007
【図６】
2018109829.tif 000008
【図７】
2018109829.tif 000009
【図８】
2018109829.tif 000010
【図９】
2018109829.tif 000011
【図１０】
2018109829.tif 000012
【図１１】
2018109829.tif 000013
【図１２】
2018109829.tif 000014
【図１３】
2018109829.tif 000015
【図１４】
2018109829.tif 000016
【図１５】
2018109829.tif 000017
【図１６】
2018109829.tif 000018
【図１７】
2018109829.tif 000019
【図１８】
2018109829.tif 000020